【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
無線ネットワークで通信するように構成された基地局において、
１つ以上の固定長フィールド、第１可変長フィールド、及び１つ以上の第２可変長フィールドを含む資源割り当てメッセージを生成するプロセッサと、
前記資源割り当てメッセージを送信する送信部を含み、
前記１つ以上の第２可変長フィールドのそれぞれの長さは、前記第１可変長フィールドの値に基づいて決定されることを特徴とする基地局。
【請求項２】
無線ネットワークでの使用のために前記無線ネットワークで通信するように構成された加入者端末において、
１つ以上の固定長フィールド、第１可変長フィールド、及び１つ以上の第２可変長フィールドを含む資源割り当てメッセージを受信する受信部を含み、
前記１つ以上の第２可変長フィールドのそれぞれの長さは、前記の第１可変長フィールドの値に基づいて決定されることを特徴とする加入者端末。
【請求項３】
無線ネットワークにおける基地局の動作方法において、
１つ以上の固定長フィールド、第１可変長フィールド、及び１つ以上の第２可変長フィールドを含む資源割り当てメッセージを生成する過程と、
前記資源割り当てメッセージを送信する過程を含み、
前記１つ以上の第２可変長フィールドのそれぞれの長さは、前記第１可変長フィールドの値に基づいて決定されることを特徴とする方法。
【請求項４】
無線ネットワークにおける加入者端末の動作方法において、
１つ以上の固定長フィールド、第１可変長フィールド、及び１つ以上の第２可変長フィールドを含む資源割り当てメッセージを受信する過程と、
前記１つ以上の第２可変長フィールドのそれぞれの長さは、前記第１可変長フィールドの値に基づいて決定されることを特徴とする方法。
【請求項５】
前記第１可変長フィールドは、前記資源割り当てメッセージの構造を支配する規則によって許可された範囲内になるべく多くの数の固定長フィールドに先行する位置を占有することを特徴とする請求項１に記載の基地局、又は請求項２に記載の加入者端末。
【請求項６】
前記第１可変長フィールドは、前記資源割り当てメッセージの構造を支配する規則によって許可された範囲内になるべく多くの数の固定長フィールドに先行する位置を占有することを特徴とする請求項３又は４に記載の方法。
【請求項７】
前記第１可変長フィールドは、前記資源割り当てメッセージの構造を支配する規則によって許可された範囲内になるべく多くの数の第２可変長フィールドに先行する位置を占有することを特徴とする請求項１に記載の基地局、又は請求項２に記載の加入者端末。
【請求項８】
前記第１可変長フィールドは、前記資源割り当てメッセージの構造を支配する規則によって許可された範囲内になるべく多くの数の第２可変長フィールドに先行する位置を占有することを特徴とする請求項３又は４に記載の方法。
【請求項９】
前記第１可変長フィールドは、前記資源割り当てメッセージによって資源を割り当てられる少なくとも１つの加入者端末を指示することを特徴とする請求項１に記載の基地局、又は請求項２に記載の加入者端末。
【請求項１０】
前記第１可変長フィールドは、前記資源割り当てメッセージによって資源を割り当てられる少なくとも１つの加入者端末を指示することを特徴とする請求項３又は４に記載の方法。
【請求項１１】
前記第１可変長フィールドは、前記資源割り当てメッセージは、多数のユニット（Ｕｎｉｔｓ）に分割される場合、最初に送信されるユニットに含まれることを特徴とする請求項１に記載の基地局、又は請求項２に記載の加入者端末。
【請求項１２】
前記第１可変長フィールドは、前記資源割り当てメッセージは、多数のユニット（Ｕｎｉｔｓ）に分割される場合、最初に送信されるユニットに含まれることを特徴とする請求項３又は４に記載の方法。
【請求項１３】
前記資源割り当てメッセージでの第１可変長フィールドの位置は、前記資源割り当てメッセージが連続的なユニット（Ｕｎｉｔｓ）にわたって分割される時、前記第１可変長フィールドが前記連続的なユニットのうち最初のユニットから始めてなるべく最小の連続的なユニットに現れるようになっていることを特徴とする請求項１に記載の基地局、又は請求項２に記載の加入者端末。
【請求項１４】
前記資源割り当てメッセージでの第１可変長フィールドの位置は、前記資源割り当てメッセージが連続的なユニットにわたって分割される時、前記第１可変長フィールドが前記連続的なユニットのうち最初のユニットから始めてなるべく最小の連続的なユニットに現れるようになっていることを特徴とする請求項３又は４に記載の方法。
【請求項１５】
前記１つ以上の第２可変長フィールドは、スケジューリングされた少なくとも１つの加入者端末のＭＩＭＯ（Ｍｕｌｔｉｐｌｅ  Ｉｎｐｕｔ  Ｍｕｌｔｉｐｌｅ  Ｏｕｔｐｕｔ）モードを指示するＭＩＭＯビットマップ、前記スケジューリングされた少なくとも１つの加入者端末のためのバースト（ｂｕｒｓｔ）サイズ及び資源サイズを指示する資源割り当てビットマップのうち少なくとも１つを含むことを特徴とする請求項１に記載の基地局、又は請求項２に記載の加入者端末。
【請求項１６】
前記１つ以上の第２可変長フィールドは、スケジューリングされた少なくとも１つの加入者端末のＭＩＭＯ（Ｍｕｌｔｉｐｌｅ  Ｉｎｐｕｔ  Ｍｕｌｔｉｐｌｅ  Ｏｕｔｐｕｔ）モードを指示するＭＩＭＯビットマップ、前記スケジューリングされた少なくとも１つの加入者端末のためのバースト（ｂｕｒｓｔ）サイズ及び資源サイズを指示する資源割り当てビットマップのうち少なくとも１つを含むことを特徴とする請求項３又は４に記載の方法。
【請求項１７】
前記資源割り当てメッセージは、加入者端末−特定エンコーディング処理（ｓｕｂｓｃｒｉｂｅｒ  ｓｔａｔｉｏｎ−ｓｐｅｃｉｆｉｃ  ｅｎｃｏｄｉｎｇ  ｐｒｏｃｅｓｓ）を使用してエンコードされることを特徴とする請求項１に記載の基地局、又は請求項２に記載の加入者端末。
【請求項１８】
前記資源割り当てメッセージは、加入者端末−特定エンコーディング処理（ｓｕｂｓｃｒｉｂｅｒ  ｓｔａｔｉｏｎ−ｓｐｅｃｉｆｉｃ  ｅｎｃｏｄｉｎｇ  ｐｒｏｃｅｓｓ）を使用してエンコードされることを特徴とする請求項３又は４に記載の方法。
【請求項１９】
それぞれのユニットは、複数の情報ビット及び複数の巡回冗長検査（ＣＲＣ）ビットを含むことを特徴とする請求項１３に記載の基地局、又は加入者端末。
【請求項２０】
それぞれのユニットは、複数の情報ビット及び複数の巡回冗長検査（ＣＲＣ）ビットを含むことを特徴とする請求項１４に記載の方法。
【請求項２１】
前記加入者端末はブラインドデコーディング処理（ｂｌｉｎｄ  ｄｅｃｏｄｉｎｇ  ｐｒｏｃｅｓｓ）を使用して前記資源割り当て情報をデコードするように構成されたことを特徴とする請求項２に記載の加入者端末。
【請求項２２】
ブラインドデコーディング処理（ｂｌｉｎｄ  ｄｅｃｏｄｉｎｇ  ｐｒｏｃｅｓｓ）を使用して前記資源割り当て情報をデコードする過程をさらに含むことを特徴とする請求項４に記載の方法。
【請求項２３】
前記第１可変長フィールドは、前記資源割り当てメッセージによって資源を割り当てられる少なくとも１つの加入者端末を指示し、
前記１つ以上の第２可変長フィールドそれぞれの長さは、前記第１可変長フィールドで指示される資源を割り当てられる少なくとも１つの加入者端末に比例することを特徴とする請求項１に記載の基地局、又は請求項２に記載の加入者端末。
【請求項２４】
前記第１可変長フィールドは、前記資源割り当てメッセージによって資源を割り当てられる少なくとも１つの加入者端末を指示し、
前記１つ以上の第２可変長フィールドそれぞれの長さは、前記第１可変長フィールドで指示される資源を割り当てられる少なくとも１つの加入者端末に比例することを特徴とする請求項３又は４に記載の方法。